(57)【要約】【課題】落書き用画像あるいは装飾用画像などの種々の合成用画像を利用者の操作に応じて連続して配置し、所望の結果を短時間で得ること。【解決手段】被写体を撮影するカメラと、撮影した被写体像を表示する表示装置と、表示された被写体像に対する編集操作を行う入力装置と、編集された被写体像を写真シールに印刷して出力する出力装置とを備えた画像プリント装置において、前記被写体像に対して合成する複数の合成用画像を記憶した記憶手段と、前記表示装置に表示された被写体像に対する編集操作時に、前記入力装置における入力編集操作を行う入力ペンが画面に接触したことを検出し、当該入力ペンの移動距離に応じ、前記記憶手段に記憶された複数の合成画像を連続して読出し、被写体画像を表示した表示装置画面に連続して描画する編集手段とを備える。また、前記編集手段は、前記入力ペンの移動軌跡に従って合成用画像を描画する。【選択図】        図５
2004274422.tif 000002
【特許請求の範囲】
【請求項１】
被写体を撮影するカメラと、撮影した被写体像を表示する表示装置と、表示された被写体像に対する編集操作を行う入力装置と、編集された被写体像を写真シールに印刷して出力する出力装置とを備えた画像プリント装置において、
前記被写体像に対して合成する複数の合成用画像を記憶した記憶手段と、前記表示装置に表示された被写体像に対する編集操作時に、前記入力装置における入力編集操作を行う入力ペンが画面に接触したことを検出し、当該入力ペンの移動距離に応じ、前記記憶手段に記憶された複数の合成画像を連続して読出し、被写体画像を表示した表示装置画面に連続して描画する編集手段とを備えることを特徴とする画像プリント装置。
【請求項２】
前記編集手段は、前記入力ペンの移動軌跡に従って合成用画像を描画することを特徴とする請求項１に記載の画像プリント装置。
【発明の詳細な説明】
【０００１】
【発明の属する技術分野】
本発明は、利用者の全身または上半身を撮影して写真シールに印刷して出力する画像プリント装置に係り、特に、撮影した被写体像に対して装飾画像あるいは落書き画像などを合成して出力する画像プリント装置に関するものである。
【０００２】
【従来の技術】
従来、この種の画像プリント装置として、表示装置の表示画面上に落書き用の複数のキャラクタ画像を表示させ、この中から任意の落書き用画像を利用者に選択させ、その選択した落書き用画像を表示画面の任意の位置に配置させることにより、被写体像に落書き用画像が合成された写真シールを出力するように構成したものがある（特許文献１参照）。
【０００３】
【特許文献１】
特開２０００−３０４６９９号公報
【０００４】
【発明が解決しようとする課題】
しかしながら、上記従来の画像プリント装置では利用者が複数の落書き用画像を任意の位置に並べて配置しようとした場合、落書き用画像を１つずつ配置することが必要になるため、落書き操作に要する時間が長くなってしまうという問題があった。
また、一度配置した落書き用画像を別のものに変更した場合、または配置位置を変更したい場合、全ての落書き用画像を消去してから最初からやり直す必要があるため、所望の結果を得るまでに時間がかかるという問題があった。
【０００５】
本発明の目的は、落書き用画像あるいは装飾用画像などの種々の合成用画像を利用者の操作に応じて連続して配置し、所望の結果を短時間で得ることができる画像プリント装置を提供することにある。
【０００６】
【課題を解決するための手段】
上記目的を達成するために、本発明は、被写体を撮影するカメラと、撮影した被写体像を表示する表示装置と、表示された被写体像に対する編集操作を行う入力装置と、編集された被写体像を写真シールに印刷して出力する出力装置とを備えた画像プリント装置において、前記被写体像に対して合成する複数の合成用画像を記憶した記憶手段と、前記表示装置に表示された被写体像に対する編集操作時に、前記入力装置における入力編集操作を行う入力ペンが画面に接触したことを検出し、当該入力ペンの移動距離に応じ、前記記憶手段に記憶された複数の合成画像を連続して読出し、被写体画像を表示した表示装置画面に連続して描画する編集手段とを備えることを特徴とする。
また、前記編集手段は、前記入力ペンの移動軌跡に従って合成用画像を描画することを特徴とする。
【０００７】
【発明の実施の形態】
以下、本発明の実施の形態について図面を用いて具体的に説明する。
図１は本発明にかかる画像プリント装置の実施の形態を示すシステム構成図である。この実施形態の装置は各種の施設内で任意の場所に移動し、撮影が行えるよう構成されている。図１は、被写体（利用者）側から装置本体を見た場合の装置本体の正面図を示している。
図１において、装置本体の正面ほぼ中央には被写体を撮影するデジタルカメラ３が設置されている。また、装置本体の上部および左右にはストロボ１ａ〜１ｃが設置されている。このストロボ１ａ〜１ｃはデジタルカメラ３で被写体を撮影するときのみ発光し、その光の強さにより撮影する画像の明るさを調整可能になっている。
また、上方および左右には、常時点灯し、操作中の利用者の周囲を照らすライト２ａ〜２ｃが設置されている。また、デジタルカメラ３の下方には、被写体を撮影するときに、実際に写っている画像を確認するための液晶モニタ４が設置されている。利用者は撮影のときに液晶モニタ４に表示される自分の像を見ながら、立つ位置やポーズ、顔の位置などを調整、確認する。
【０００８】
装置本体の胴部付近には、操作画面や進行状況、ガイダンスなどを表示するタッチパネル付きディスプレイ５が設けられている。利用者が入力装置を構成するタッチペン６でタッチパネル面のアイコンなどをタッチすると、タッチパネル付きディスプレイ５はその位置を検出し、接触位置に表示したアイコンに割り当てられた機能または動作を開始する。
この他に、スピーカ７、スイッチパネル８、課金装置９、ストロボ用電源１０、パーソナルコンピュータ１１、プリンタ１２、ＵＰＳ１３が設けられている。
スピーカ７は操作中の音楽やガイダンスの音声を出力する。課金装置９は利用料金の投入を受け付け、収納する。無料設定時を考慮し、取り外し可能なものとなっている。ストロボ用電源１０はストロボ１ａ〜１ｃに対して利用者が選択した明るさに応じた電力を供給する。
【０００９】
パーソナルコンピュータ１１は、撮影制御、撮影画像を加工または編集し利用者に落書き機能を提供する画像編集処理、印刷制御としての機能を有する。
プリンタ１２は画像を所定の用紙に印刷して出力する。ＵＰＳ１３は停電時にも電源供給をする無停電電源装置である。キャスター１４は装置筐体の移動時に使用し、位置決定後はロックする。スイッチパネル８はテスト用のスイッチやボリュームスイッチを固定したパネルである。
【００１０】
図２は、印刷される画像の例を示す図であり、写真画像２０１には撮影された被写体画像２０２以外に、管理者または利用者の設定に応じてキャラクタ画像（装飾画像あるいは落書き画像）２０３が挿入される。
図３は、図１の構成おける各部の接続関係を示した機能構成ブロックであり、デジタルカメラ３はパーソナルコンピュータ１１からの制御信号によって被写体画像を撮影し、撮影した画像のデータを液晶モニタ４に供給して表示させる。また、撮影した画像のデータをパーソナルコンピュータ１１に入力し、内部での画像編集用に供給する。パーソナルコンピュータ１１の内部には、装飾あるいは落書きを行うための合成用画像１１１０を予め記憶したメモリ１１１が備えられている。
パーソナルコンピュータ１１は、ディスプレイ５に表示された被写体像に対する編集操作時に、編集操作を行うタッチペン６の移動距離に応じてメモリ１１１に記憶された複数の合成用画像１１１０を連続して読出し、被写体画像を表示した表示装置画面に連続して描画する編集手段を備える。この編集手段は、タッチペン６の移動軌跡に従って合成用画像を描画する。この編集手段は具体的には編集プログラムによって構成される。
【００１１】
図４〜図６は、上記構成における動作を示すフローチャートである。このフローチャートで示す動作は、パーソナルコンピュータ１１の内部メモリに記憶された制御プログラムによって実現されるものである。
ここでは撮影を行う上での設定として、コイン入力の受付の有無及び枚数、撮影時の撮影枚数、落書き等の合成用画像を予め設定してあるものとする。
本実施形態の画像プリント装置の動作は、図４（ａ）に示すように、ライト点灯（ステップ４０１）、課金受付（ステップ４０２）、撮影（ステップ４０３）、落書き処理（ステップ４０４）、印刷（ステップ４０５）、ライト消灯（ステップ４０６）の工程に大別される。
開始時には、パーソナルコンピュータ１１からライト２ａ〜２ｃに対して制御信号を入力して点灯させ（ステップ４０１）、課金装置９による課金受付（ステップ４０２）に移行する。
【００１２】
図４（ｂ）は課金受付の詳細を示すフローチャートである。
まず、課金受付を行うよう設定されているか否かを判断し（ステップ４０２１）、課金を受け付ける場合はパーソナルコンピュータ１１内のコイン投入枚数カウンタ（図示せず）の値を「０」にする（ステップ４０２２）。次に、コイン投入待ちとなり（ステップ４０２３）、コインの投入が課金装置９によって検出されると、コイン投入枚数カウンタを「１」増やす（ステップ４０２４）。この後、コインの投入枚数が指定された利用金額相当の枚数に達しているか否かを判断し（ステップ４０２５）、達していなければコイン投入待ちに戻る（ステップ４０２３）。コイン投入枚数が利用金額相当になった場合は撮影に移行する（ステップ４０３）。
【００１３】
図４（ｃ）で示す撮影処理では、まずタッチパネル付きディスプレイ５に明るさの一覧を表示し、利用者にタッチペン６で明るさを選択させる（ステップ４０３１）。その後、利用者が選択した明るさをパーソナルコンピュータ１１がストロボ電源１０に設定する（ステップ４０３２）。次に、デジタルカメラ３を用いて被写体の撮影を行う（ステップ４０３３）。このときパーソナルコンピュータ１１はストロボ１ａ〜１ｃをステップ４０３２で設定した明るさで発光させる。
被写体の画像は、この実施形態では頭部から足元までの全身画像が撮影可能となっている。そして複数の撮影ポーズで複数枚の被写体画像がタイマで定められた時間間隔で撮影される。予め定められた複数枚の被写体画像が撮影されたならば、撮影した画像のデータをタッチパネル付きディスプレイ５に入力し、撮影した画像の全てを表示させる（ステップ４０３４）。
利用者（被写体）はタッチペン６を操作し、複数枚撮影した被写体像のうち１つの撮影画像を選択し、タッチパネル付きディスプレイ５に表示させる（ステップ４０３４）。
【００１４】
図５（ａ）の落書き処理では、まず、パーソナルコンピュータ１１内のメモリ１１１に格納されている落書き等の合成用画像のサンプル画像を読出し、タッチパネル付きディスプレイ５に表示する。
本実施の形態では複数組の合成用画像がメモリ１１１内に予め記憶されており、それぞれの組の合成用画像は図６で後述するように、複数の合成用画像で構成されている。そしてタッチペン６の移動距離に応じて、複数の合成用画像が連続して読み出され、タッチパネル付きディスプレイ５に表示される。すなわち、予め用意した画像を連続してスタンプ操作したかのような画像が表示される。本発明ではこれを「連続スタンプ」として用いる。そこで、以下では、複数の合成用画像が連続して表示される画像を連続スタンプと言う。
まず、メモリ１１１内に格納されている複数組の連続スタンプのサンプルをタッチパネル付きディスプレイ５に表示する（ステップ４０４１）。次に、利用者にその中のいずれの組の連続スタンプを利用するか否かをタッチペン６で選択させる（ステップ４０４２）。連続スタンプを利用しないという選択操作が行われた場合は、ステップ４０４９に進む。
【００１５】
いずれかの組の連続スタンプのサンプルが選択された場合、選択された連続スタンプのサンプルの先頭の「画像１」をメモリ１１１から読出し、タッチペン６で選択された位置に描画する（ステップ４０４３）。このときの表示画面の例を図５（ｂ）に示す。
次にタッチペン６を用いて一度、画面に接触させ、そのまま画面に接触したままでタッチペン６が一定距離以上移動したか、または離れたかを確認し（ステップ４０４４）、タッチペン６のペン先が移動した場合は以前の「画像１」の位置に「画像２」を描画し、タッチペン６のペン先が接触した画面位置に「画像１」を描画する（ステップ４０４５）。このときの表示画面の例を図５（ｃ）に示す。そして、タッチペン６のペン先が移動したか、離れたかを再度確認し（ステップ４０４６）、タッチペン６のペン先が移動した場合は以前の「画像２」の位置に「画像３」を描画し、「画像１」の位置に「画像２」を描画し、タッチペン６のペン先の先の位置に「画像１」を描画する（ステップ４０４７）。このときの表示画面の例を図５（ｄ）に示す。タッチペン６のペン先がタッチパネル面から離れた場合には、ステップ４０４９に進む。
【００１６】
次に、タッチペンのペン先６が移動したか、離れたかを再度確認し（ステップ４０４８）、移動した場合はステップ４０４７を実行し、移動しない場合は落書き処理を終了するかどうか利用者に選択させる（ステップ４０４９）。
この図５の例では、タッチペン６の移動を連続して行うと、「画像１」、「画像２」、「画像３」から成る画像が繰返し連続表示される。
ここで、ステップ４０４３、４０４５、４０４７では、タッチペン６のペン先の接触位置に先頭の「画像１」を表示させ、その後続位置に「画像２」、「画像３」を表示させるようにしているため、「画像１」〜「画像３」はタッチペン６の移動軌跡に従って描画位置が追随するものと成る。
なお、タッチペンは一度画面に接触したら、数センチ画面から離しても移動によって発生する軌道はそのまま継続される、画面から１０ｃｍ以上話したときに入力完了とみなす。
【００１７】
図６は、星型の連続スタンプサンプル６０１を選択し、タッチペン６を移動させた場合に描画される連続スタンプの例を示すものであり、移動距離Ｌ１では（ａ）の画像が描画され、さらにタッチペン６をＬ２まで移動させると、（ｂ）の画像が表示され、さらにＬ３まで移動させると（ｃ）の画像が表示される。
また、タッチペン６を（ｄ）の軌跡６０２のように移動させると、（ｄ）のように軌跡６０１に追随した連続スタンプが描画される。
ここで、メモリ１１１には、例えば図６（ｃ）の６０３〜６０５が「画像１」〜「画像３」として格納されている。
落書き処理が終了したら図７の印刷処理へ移行する。
なお、描画した連続スタンプが所望でなかった場合には、ディスプレイ画面上に配置された消去アイコンをタッチペン６で選択し、さらに消去対象をタッチペン６で指定することにより、指定した連続スタンプを一括して消去することができる。
【００１８】
まず、パーソナルコンピュータ１１は内部の画像編集処理により、撮影画像と連続スタンプ画像の合成画像を作成し、プリンタ１２へ転送し（ステップ４０５１）、印刷出力する（ステップ４０５２）。印刷後、もう１枚印刷するかをディスプレイ５上で利用者に問い合わせ（ステップ４０５３）、もう１枚印刷する旨の操作がされた場合は、必要金額の課金受付をした後（ステップ４０５４）、ステップ４０５２へ戻って印刷を実行する。追加印刷しない場合は終了となる。
一連の操作の終了時にはライト２ａ〜２ｃを消灯する（ステップ４０６）。
印刷処理を終えると、例えば、図８に示すように、被写体画像７０１に星型の連続スタンプ画像８０２、８０３が合成された写真シールが出力される。
【００１９】
なお、連続スタンプを構成する基になる複数の「画像１」〜「画像３」は、アニメーション画像を分割したもので構成することにより、さらに装飾効果が向上するものとなる。
また、連続スタンプに使用する画像は「画像１」〜「画像３」に限定されるものではなく、さらに多くの画像を用意しておくことができることは言うまでもない。
【００２０】
【発明の効果】
以上のように本発明によれば、落書きあるいは装飾用の合成用画像を予め用意しておき、この合成用画像をタッチペンの移動操作に応じて連続して読み出し、被写体画像に合成するようにしたため、複数の合成用画像を１つづつ選択して配置するといった面倒な操作が不要になり、短時間で装飾効果の高い画像プリントを得ることができる。
【図面の簡単な説明】
【図１】本発明の実施形態を示すシステム構成図である。
【図２】印刷出力されるプリント画像の例を示す図である。
【図３】図１の構成における機能構成ブロック図である。
【図４】図１の構成における動作を示すフローチャートである。
【図５】本発明の主要部である落書き処理の動作を示すフローチャートおよび画像の例を示す図である。
【図６】タッチペンの移動距離に応じた合成用画像（連続スタンプ）の例を示す図である。
【図７】印刷処理の動作を示すフローチャートである。
【図８】印刷結果の画像の例を示す図である。
【符号の説明】
１ａ〜１ｃ…ストロボ、２ａ〜２ｃ…ライト、３…デジタルカメラ、４…液晶モニタ、５…タッチパネル付きディスプレイ、６…タッチペン、７…スピーカ、８…スイッチパネル、９…  課金装置、１０…ストロボ用電源、１１…パーソナルコンピュータ、１２…プリンタ、１３…ＵＰＳ、１１１…メモリ。
【図１】
2004274422.tif 000003
【図２】
2004274422.tif 000004
【図３】
2004274422.tif 000005
【図４】
2004274422.tif 000006
【図５】
2004274422.tif 000007
【図６】
2004274422.tif 000008
【図７】
2004274422.tif 000009
【図８】
2004274422.tif 000010